(57)【特許請求の範囲】
【請求項１】
正方形状のシートの中央に被包装品（３）を載せて、該シートの各辺に対し所定角回転させた回転線（１３）が底面（４）の正方形状の折り曲げ辺（５）となるように、しかも該各折り曲げ辺（５）より外側を被包装品（３）の上側に折り曲げてあること、
前記の各折り曲げ辺（５）より外側の領域において、前記の各折り曲げ辺（５）同士の交点から該シートの各辺に対する垂線と各折り曲げ辺（５）とシート辺とで囲まれた台形状の領域を、魚の背びれ状をした天井面（２）とし、
この台形状の天井面（２）以外の領域にできる長方形状の領域（２ｆ）を、隣接する天井面（２）の魚の背びれ状部の頂辺（ｃ）の下に潜り込ませて重ねることによって、魚の背びれ状部の後辺（ｂ）が正方形状の底面の各角部から突出した羽根を形成してなることを特徴とする風車を模した形状の包装構造。
【請求項２】
正方形状のシートの中央に被包装品（３）を載せて、該シートの各辺に対し所定角回転させた回転線（１３）が底面（４）の正方形状の折り曲げ辺（５）となるように、しかも該各折り曲げ辺（５）より外側を被包装品（３）の上側に折り曲げてあること、
前記の各折り曲げ辺（５）より外側の領域において、前記の各折り曲げ辺（５）同士の交点から該シートの各辺に対する垂線と各折り曲げ辺（５）とシート辺とで囲まれた台形状の領域を、魚の背びれ状をした天井面（２）とし、
この台形状の天井面（２）以外の領域にできる長方形状の領域（２ｆ）が切除されていることによって、魚の背びれ状の後辺（ｂ）が正方形状の底面の各角部から突出した羽根を形成してなることを特徴とする風車を模した形状の包装構造。
【請求項３】
底面（４）の各折り曲げ辺（５１）から側壁面（９）を延長させて四角筒状に形成し、それぞれの側壁面（９）の上辺から、折り曲げ辺（５２）を介して、前記の魚の背びれ状の台形状の天井面（２）を突出させてあることによって、前記の各折り曲げ辺（５）に四角形の側壁面（９）を挿入した形状としたことを特徴とする請求項２に記載の風車を模した形状の包装構造。
【請求項４】
前記正方形状シートの各辺に対する回転線（１３）の成す回転角が１５〜３０度であることを特徴とする請求項１、請求項２または請求項３に記載の風車を模した形状の包装構造。
【請求項５】
前記の魚の背びれ状の天井面（２）において、背びれ状の後辺（ｂ）を任意の量（２ｄ）だけ平行移動してバックさせてあることを特徴とする請求項２、請求項３または請求項４に記載の風車を模した形状の包装構造。
【発明の詳細な説明】
【０００１】
【産業上の利用分野】
本発明は、例えば菓子類や健康食品などの包装に適する包装構造ならびに包装用のシートに関する。
【０００２】
【従来の技術と発明が解決しようとする課題】
販売しようとする製品の中身は同じでも、その包装のデザインによって売り上げが全く異なることが多い。そのため、購買意欲をそそるようにデザインを工夫した多数の包装構造が提案されている。
【０００３】
沖縄では、風車祭と書いて、方言で「カジマヤー」と読むが、最高の長寿の祝いを意味する。旧暦の９月７日には、数え９７歳を迎えた老人達による祝賀のパレードをはじめ、盛大な催しが各地で行なわれる。
【０００４】
風車祭（カジマヤー）とは風車のことで、９７歳にもなると再生し、童心に帰る、ということから、長寿を祝って風車を飾るようになった。したがって、沖縄では、風車を見ると、長寿をイメージする。
【０００５】
一方、沖縄は長寿県とも言われているが、菓子類や健康食品などには、健康増進をもたらすような品物も多い。このような品物の包装に、風車を模したデザインを付加することによって、被包装品と包装のデザインとがマッチし、需要者に好ましいイメージをもたらし、購買意欲につなげることができる。
【０００６】
本発明の技術的課題は、このような問題に着目し、販売しようとする品物の包装において、風車を模したデザインを可能とするための包装構造を実現することにある。
【０００７】
【課題を解決するための手段】
本発明の技術的課題は次のような手段によって解決される。請求項１は、例えば図４、図５のように、正方形状のシートの中央に被包装品（３）を載せて、該シートの各辺に対し所定角回転させた回転線（１３）が底面（４）の正方形状の折り曲げ辺（５）となるように、しかも該各折り曲げ辺（５）より外側を被包装品（３）の上側に折り曲げてあること、
前記の各折り曲げ辺（５）より外側の領域において、前記の各折り曲げ辺（５）同士の交点から該シートの各辺に対する垂線と各折り曲げ辺（５）とシート辺とで囲まれた台形状の領域を、魚の背びれ状をした天井面（２）とし、
この台形状の天井面（２）以外の領域にできる長方形状の領域（２ｆ）を、隣接する天井面（２）の魚の背びれ状部の頂辺（ｃ）の下に潜り込ませて重ねることによって、魚の背びれ状部の後辺（ｂ）が正方形状の底面の各角部から突出した羽根を形成してなることを特徴とする風車を模した形状の包装構造である。
【０００８】
このように、正方形状の比較的薄手のシートでも、魚の背びれ状の天井面以外の領域にできる長方形状の領域２ｆを、隣接する天井面２の背びれ状部の頂辺ｃの下に潜り込ませて重ねることによって、図４・５のようにワンタッチで折り曲げるだけで、背びれ状部の後辺ｂが各角部から突出した羽根を形成し、風車を模した形状を表現できる。その結果、長寿をイメージさせることができ、購買意欲をそそることができる。しかも、重なり部によって、品物の包装を確実にでき、かつ強度を確保できる。
【０００９】
請求項２は、正方形状のシートの中央に被包装品（３）を載せて、該シートの各辺に対し所定角回転させた回転線（１３）が底面（４）の正方形状の折り曲げ辺（５）となるように、しかも該各折り曲げ辺（５）より外側を被包装品（３）の上側に折り曲げてあること、
前記の各折り曲げ辺（５）より外側の領域において、前記の各折り曲げ辺（５）同士の交点から該シートの各辺に対する垂線と各折り曲げ辺（５）とシート辺とで囲まれた台形状の領域を、魚の背びれ状をした天井面（２）とし、
この台形状の天井面（２）以外の領域にできる長方形状の領域（２ｆ）が切除されていることによって、魚の背びれ状の後辺（ｂ）が正方形状の底面の各角部から突出した羽根を形成してなることを特徴とする風車を模した形状の包装構造である。
【００１０】
厚紙などのように比較的厚手のシート材を用いて包装する場合は、請求項２のように長方形状の領域２ｆを切除するが、例えば薄手の紙などを用いる場合は、図４のように折り曲げ作業のみで包装できる。すなわち、正方形の紙（シート）において、図１（２）と同様な形状を形成した場合、斜線で示した領域２ｆは、図１（２）において、隣接する天井面２間の切除された不要の領域２ｇに対応する。ところが、薄手のシートの場合は、図１のように不要部を切除すると強度が低下し、またそれだけ工数も増えコスト高となるので、この不要部２ｆは、図１（１）の折り重ね領域８の間に折り込んで重ねるのがよい。
【００１１】
請求項３は、底面（４）の各折り曲げ辺（５１）から側壁面（９）を延長させて四角筒状に形成し、それぞれの側壁面（９）の上辺から、折り曲げ辺（５２）を介して、前記の魚の背びれ状の台形状の天井面（２）を突出させてあることによって、前記の各折り曲げ辺（５）に四角形の側壁面（９）を挿入した形状としたことを特徴とする請求項２に記載の風車を模した形状の包装構造である。
【００１２】
このように、前記の各折り曲げ辺５に四角形の側壁面９を挿入した形状とすることによって、図２のように、底面４の各折り曲げ辺５１で連結させた四角形状の各側壁面９から折り曲げ辺５２を介して連続している各天井面２が、台形状の魚の背びれ状をしているので、当該背びれ状部の後辺ｂが正方形状の各角部から突出して、４枚の羽根を表現でき、長寿にあやかれる風車を模した形状を実現できる。
【００１３】
請求項４は、前記正方形状シートの各辺に対する回転線（１３）の成す回転角が１５〜３０度であることを特徴とする請求項１、請求項２または請求項３に記載の包装構造である。
【００１４】
回転線１３は、魚の背びれ状の天井面２の折り曲げ辺５であるが、この回転線１３の位置は、図６のように決定される。すなわち、前記シートの１辺と対角線１２とのなす４５°を２分すると２２．５度となるが、請求項４のように、２２．５度＋７．５度の３０度程度から２２．５度−７．５度の１５度程度の範囲であれば、実用上支障なく折り曲げることができる。
【００１５】
請求項５は、図２のように、前記の魚の背びれ状の天井面（２）において、背びれ状の後辺（ｂ）を任意の量（２ｄ）だけ平行移動してバックさせてあることを特徴とする請求項２、請求項３または請求項４に記載の風車を模した形状の包装構造である。
【００１６】
このように、背びれの後辺ｂをバックさせて領域２ｄを設けると、特に下側から見た場合に、より羽根状に見える。なお、図３の実施形態は、この後辺ｂの突出領域２ｄに対応して、前辺ａ側を寸法２ｅだけ、後辺ｂ側に後退させてある。
【００１７】
【発明の実施の形態】
次に本発明による風車を模した形状の包装構造が実際上どのように具体化されるか実施形態を説明する。図１は本発明による包装構造ならびに包装用のシートの第一の実施形態であり、（１）は包装状態の平面図、（２）はこの包装構造を実現するための包装用シートを展開した平面図である。
【００１８】
（１）図の場合、上から見た場合、ほぼ正方形をしており、それぞれの角部から魚の背びれ状の突起１が突出している。また、被包装品の上側を覆うための天井面２も前記突起１よりは大きいが、魚の背びれ状を呈している。
【００１９】
この魚の背びれ状の天井面２は、（２）図のように、被包装品３を載せるための正方形状の底面４の各辺すなわち折り曲げ辺５から突出した領域であり、後方に傾いた魚の背びれの前辺ａとこの前辺ａとほぼ平行な後辺ｂと後方にゆるやかに傾斜した頂辺ｃとから成っている。
【００２０】
このような魚の背びれ状をした天井面２を底面４の各辺５で内側に折り曲げると、（１）図のように、この天井面２の外面が上に露出し、かつ折り曲げ辺５から突出した突起１の領域も、小さな背びれ状となるが、全体として風車の羽根の形状に見える。そして、このような羽根が４枚の風車に見える。
【００２１】
さらに、各天井面２を折り重ねた場合にできる中心の十文字状部６に円形のシール７を貼ると、風車の軸に見える。
【００２２】
各天井面２を折り重ねる場合、各天井面２同士の重なりがないと、被包装品の全面を確実に覆うことができず、機械的な強度も保てない。そのため、（１）図に斜線で示すように、背びれの前辺ａの上に隣接する天井面２の頂辺ｃが重なった領域８を形成している。この重なり領域８から突出した背びれの後辺ｂの領域が突起１となっている。
【００２３】
この実施形態は、被包装品３が薄手の場合に適する構造であり、厚みのある品物を包装する場合は、底面４と各天井面２との間に、包装箱の側壁の領域が必要となる。また、底面４が正方形の場合を例示したが、他の多角形でもよい。そして、それぞれの辺から魚の背びれ状の天井面２が突出していて、被包装品の上側に折り重ねることができれば、風車の形状に見える。多角形の角数と風車の羽根の枚数とは一致する。
【００２４】
図２の実施形態では、被包装品３を載せる底面４と、各天井面２との間に間隔Ｈをおいて、四角形の領域９を設けてある。この間隔Ｈは、包装箱の側壁の高さであり、被包装品３の厚みないし高さに応じた寸法とする。
【００２５】
したがって、底面４の上に品物３を置いた状態で、各辺５１で側壁面９を上側に直角に曲げて立て、次いで各天井面２を、各側壁面９の上辺５２で直角に品物３の上に折り曲げて重ねると、高さＨの側壁を有し、底面４と天井面２は図１の場合と全く同じ形状の包装箱を形成できる。
【００２６】
このとき、各天井面２は、背びれの前辺ａを隣接する天井面２の頂辺ｃの下に潜り込ませて重ねることは、図１の場合と同じである。図１と比較した場合明らかなように、側壁の高さＨ＝０にすると、底面の折り曲げ辺５１と天井面の折り曲げ辺５２とが一致して、図１の折り曲げ辺５となる。
【００２７】
以上の実施形態では、各天井面２が底面４や側壁から突出した領域は、背びれの後辺ｂの三角形状の領域２ｂだけである。この領域をさらに突出させて２ｄの領域を設けると、特に下側から見た場合に、より羽根状に見える。
【００２８】
図３の実施形態は、この後辺ｂの突出領域２ｄに対応して、前辺ａ側を寸法２ｅだけ、後辺ｂ側に後退させてある。なお、図３においては、隣接する側壁９同士の間を糊付けして強固に連結できるように、糊代１０を設けてある。
【００２９】
以上の実施形態は、厚紙などのように比較的厚手のシート材を用いて包装する場合であるが、例えば薄手の紙などを用いる場合は、図４のように折り曲げ作業のみで包装できる。すなわち、正方形の紙（シート）において、図１（２）と同様な形状を形成した場合、斜線で示した領域２ｆの領域は、図１（２）において、隣接する天井面２間の切除された不要の領域２ｇに対応する。
【００３０】
薄手のシートの場合は、図１のように、不要部を切除すると、強度が低下し、またそれだけ工数も増え、コスト高となるので、この不要部２ｆは、図１（１）の折り重ね領域８の領域に折り込んで重ねるのがよい。
【００３１】
この場合、図４において、実線が谷になり、破線が山となるように折り重ねると、図５のように、図１（１）の斜線の領域８が３重となった状態で包装できる。そして、魚の背びれ状の天井面２を表現できるし、後辺ｂから突出した三角形状の突出部２ｂも表現できる。
【００３２】
なお、図４において、谷に折り曲げられる実線の位置が窪んだ条となるように、また山に折り曲げられる破線の位置が突出した条となるように、予め型押し（プレス）しておくと、ほとんどワンタッチで簡単に折り曲げることができる。
【００３３】
次に、図３のような包装構造を設計する場合の手順を図６において順次説明する。
【００３４】
(1).正方形の紙１１において、対角線１２を引く。
【００３５】
(2).正方形の紙１１の１辺と前記の対角線１２とのなす４５°の角度の２分の１、すなわち２２．５度の線１３引く。この線１３の位置は、図３における側壁９と天井面２との間の折り曲げ辺５２となる。
【００３６】
(3).前記の２２．５度の２分線１３同士の交点１４から、正方形の辺１１に垂直の線１５、１６を引く。この場合、この線１５、１６と前記の２分線１３の位置で折り曲げると、図４と図５の場合と全く同じ折り方ができる。すなわち、２分線１３の内側に品物をおいて、実線１３、１５が谷になり、破線１６が山となるように折ればよい。
【００３７】
なお、線１３の位置は、ちょうど２分すると２２．５度となるが、２２．５度＋７．５度の３０度程度から２２．５度−７．５度の１５度程度の範囲であれば、実用上支障なく折り曲げることができる。
【００３８】
薄手の品物を包装する場合は、このような折り方で足りる。また、厚手のシートで包装する場合は、前記の垂直線１５、１６の位置から切除すると、図１（２）のシートを製造できる。
【００３９】
(4).図２、図３のように、高さＨの側壁を要する場合は、前記の２分線１３の内側に間隔（側壁高さ）Ｈをおいて、平行線１７を引く。
【００４０】
(5).前記の隣接する平行線１７、１７同士の交点１７ａ、１７ｂから前記の対角線１２に垂線１８ａ、１８ｂを降ろす。そして、前記の対角線１２、平行線１７および垂線１８ａ、１８ｂで囲まれた領域を、前記２分線１３において反転させると、鎖線１２’、垂線１８ａ’、１８ｂ’および２分線１３で囲まれた領域となる。この領域は、図２における天井面２の領域と同じである。
【００４１】
したがって、平行線１７は図２の底面の各辺５１と対応し、２分線１３は図２の側壁９と天井面２との間の折り曲げ辺５２と対応する。また、平行線１７で囲まれた領域が、図２の底面４となり、間隔Ｈの領域が側壁９となる。
【００４２】
(6).図３のように、天井面２を寸法２ｅだけ背びれの後辺ｂ側にバックさせる場合は、前記(5).における垂線１８ａと対角線１２との交点１２ａを前記後退量２ｅだけ後退させた１２ａ’の位置を２分線１３の位置で反転させて後退量１２ａ’’を得る。
【００４３】
同様にして、図３のように、寸法２ｄだけ背びれの後辺ｂをバックさせる場合は、前記(5).における垂線１８ｂと対角線１２との交点１２ｂを前記後退量２ｄだけ後退させた１２ｂ’の位置を２分線１３の位置で反転させて後退量１２ｂ’’を得る。
【００４４】
背びれの前辺ａ側の後退量２ｅおよび後辺ｂの後退量２ｄは任意に決定できる。前辺ａ側の後退量２ｅによって、隣接する天井面２同士の重なり領域の面積が決まる。したがって、この重なり領域の位置や大きさに応じて、前辺ａ側の後退量２ｅを決定する。
【００４５】
この場合、前記(5).における直交する２本の対角線１２、１２と前記平行線１７と垂線１８ｂとで囲まれた領域が最小領域であり、この領域より外側において、後退量２ｅを決定する必要がある。
【００４６】
また、後辺ｂの後退量２ｄによって、風車の羽根の先端の突出量が決まる。この場合も、前記の最小領域の垂線１８ｂより外側に後退させる必要がある。
【００４７】
図６は、図３のように、底面４から各側壁９が延びる場合の設計であるが、図７のように、隣接する各側壁９を連続させる構造も有効である。すなわち、４角形筒状の包装箱の場合であれば、高さＨの側壁９を４面連続させる。そして、それぞれの側壁面９から、折り曲げ辺５２を介して、図６で設計した天井面２を形成する。この場合、前記の前辺ａ側の後退量２ｅと後辺ｂの後退量２ｄとが同等となっている。
【００４８】
一端の側壁９の領域には、糊代９ａを連続させてある。したがって、各側壁９間の線９ｂおよび前記の糊代９ａと側壁９間の線９ｂが谷となるように折り曲げると、四角筒状に形成できる。そして、各側壁９と天井面２との間の線５２が谷となるように折り曲げると、天井壁が形成できる。
【００４９】
底壁の形成は在来の技術を用いて形成できる。なお、図示例では、各側壁から折り曲げ辺５１を介して大底面４ａと小底面４ｂが交互に形成されており、交互に折り重ねて糊で接着する構造になっている。
【００５０】
以上の実施形態において、魚の背びれ状をした天井面２を折り重ねて品物を包装した場合、天井面は側壁の数と同数の多角形状となる。
【００５１】
また、以上の実施形態は、包装箱の底面４から天井面２まで側壁を介して一体の構造になっている。その結果、品物を入れてから天井面２を閉じると包装が完成する。
【００５２】
これに対し、包装箱に品物を入れてから、別体の蓋を被せる構造も可能である。この場合は、底側の容器と蓋とを予め別々に形成しておくが、本発明の風車状の羽根は、以上の技術を用いて蓋側に形成しておけば実現できる。
【００５３】
なお、包装に使用する材料は、紙のほか、合成樹脂製その他のシートを利用できる。また、厚さは任意であり、厚みに応じて、または被包装品の量や寸法などに応じて、好適な包装構造を採用する。
【００５４】
【発明の効果】
請求項１によると、正方形状の比較的薄手のシートでも、魚の背びれ状の天井面以外の領域にできる長方形状の領域２ｆを、隣接する天井面２の背びれ状部の頂辺ｃの下に潜り込ませて重ねることによって、図４・５のようにワンタッチで折り曲げるだけで、背びれ状部の後辺ｂが各角部から突出した羽根を形成し、風車を模した形状を表現できる。その結果、長寿をイメージさせることができ、購買意欲をそそることができる。しかも、重なり部によって、品物の包装を確実にでき、かつ強度を確保できる。
【００５５】
厚紙などのように比較的厚手のシート材を用いて包装する場合は、請求項２のように長方形状の領域２ｆを切除するが、例えば薄手の紙などを用いる場合は、図４、図５のように前記の不要部２ｆは、図１（１）の折り重ね領域８の領域に折り込んで重ねるのがよい。すなわち、正方形の紙（シート）において、図１（２）と同様な形状を形成した場合、斜線で示した領域２ｆは、図１（２）において、隣接する天井面２間の切除された不要の領域２ｇに対応する。ところが、薄手のシートの場合は、図１のように不要部を切除すると強度が低下し、またそれだけ工数も増えコスト高となるので、この不要部２ｆは、図１（１）の折り重ね領域８の間に折り込んで重ねるのがよい。
【００５６】
請求項３のように、前記の各折り曲げ辺５に四角形の側壁面９を挿入した形状とすることによって、図２のように、底面４の各折り曲げ辺５１で連結させた四角形状の各側壁面９から折り曲げ辺５２を介して連続している各天井面２が、台形状の魚の背びれ状をしているので、当該背びれ状部の後辺ｂが正方形状の角部から突出して、４枚の羽根を表現でき、長寿にあやかれる風車を模した形状を実現できる。
【００５７】
回転線１３は、魚の背びれ状の天井面２の折り曲げ辺５であるが、この回転線１３の位置は、図６のように決定される。すなわち、前記シートの１辺と対角線１２とのなす４５°を２分すると２２．５度となるが、請求項４のように、２２．５度＋７．５度の３０度程度から２２．５度−７．５度の１５度程度の範囲であれば、実用上支障なく折り曲げることができる。
【００５８】
請求項５のように、背びれの後辺ｂをバックさせて領域２ｄを設けると、特に下側から見た場合に、より羽根状に見える。図３の実施形態は、この後辺ｂの突出領域２ｄに対応して、前辺ａ側を寸法２ｅだけ、後辺ｂ側に後退させてある。
【図面の簡単な説明】
【図１】薄手の品物の包装に適する包装構造ならびに包装用のシートの実施形態であり、（１）は包装状態の平面図、（２）は包装用シートを展開した平面図である。
【図２】厚手のまたは高さのある品物の包装に適する包装構造ならびに包装用のシートを説明する図で、包装用シートを展開した平面図である。
【図３】魚の背びれ状の天井面を後退させた実施形態を示すために包装用シートを展開した平面図である。
【図４】薄手の紙などを用いて包装する場合の包装用シートを展開した平面図である。
【図５】図４の包装シートで包装した状態の平面図である。
【図６】図３のような包装構造を設計する場合の手順を順次説明するための包装用シートの展開平面図である。
【図７】側壁同士が連続した実施形態を説明するための包装用シートの展開平面図である。
【符号の説明】
１魚の背びれ状の突起
ａ背びれの前辺
ｂ背びれの後辺
ｃ背びれの頂辺
２天井面
３被包装品（品物）
４底面
５、５１、５２折り曲げ辺
８隣接する天井面同士の重なり領域
９側壁領域
【図１】
0004319718.tif 000002
【図２】
0004319718.tif 000003
【図３】
0004319718.tif 000004
【図４】
0004319718.tif 000005
【図５】
0004319718.tif 000006
【図６】
0004319718.tif 000007
【図７】
0004319718.tif 000008